(57)【要約】      （修正有）【課題】異なる形態のＵ型管、ラッチ板、挿入管を組み合わせて、各種商品の梱包時の緩衝材とする包装用緩衝材料構造を提供する。【解決手段】Ｕ型管１は、以下に分けられる。（１）外側壁面に凹溝を形成し、底壁面に２つのＶ型溝を形成し、内側壁面にＵ型溝を形成する。（２）外側壁面に凹溝を形成し、内側壁面にＵ型溝を形成する。（３）外部側壁に凹溝を形成し、内側壁面にＵ型溝を形成する。挿入管４，５は以下に分けられる。（１）Ｘ型挿入管。（２）逆Ｈ型挿入管。（３）多辺型挿入管。Ｕ型管１のＵ型溝の両側端にラッチ板２，３を設置し、受け接合空間を形成し、Ｕ型管１の底端面及び底面壁の間に各種形態の挿入管４，５を設置し、各種の異なる形態の包装用緩衝材料構造体を形成する。【選択図】図１
0003160164.tif 000002
【実用新案登録請求の範囲】
【請求項１】
Ｕ型管と、ラッチ板と、挿入管と、から構成され、そのうち、
Ｕ型管は、Ｕ型溝を設け、外部側壁の一側端面に凹溝を設け、他側端面に凹溝を設け、底面壁にＶ型溝を設け、強化の作用とし、
ラッチ板は、長方形体を呈し、一端面に孔溝を形成し、他端面に孔室２２を形成し、Ｕ型溝の両側端箇所に設置され、
挿入管は、Ｘ型管体を呈し、両者の外形が同一であり、そのうち、中央が周囲向きに空心体を形成するとともに、周囲に向けて４つの凸体を形成し、凸体と凸体の間に凹溝を形成し、嵌合作用とし、Ｕ型溝の底端面及び底面壁の間にＸ型挿入管を挿入し、Ｖ型溝と堅く貼付する包装用緩衝材料構造。
【請求項２】
Ｕ型管と、ラッチ板と、挿入管と、から構成され、そのうち、
Ｕ型管は、Ｕ型溝を設け、外部側壁の一側端面に凹溝を設け、他側端面に凹溝及び溝のない底面壁を設け、
挿入管は、逆Ｈ型管を呈し、そのうち、上方に凸ブロックを設け、２つの凸ブロックの間に凹溝を設け、下方に複数の凸体を設け、凸体及び凸対の間に弧溝を形成し、強化の作用とし、
ラッチ板は、Ｕ型管が形成するＵ型溝の一端にラッチ板を設置し、他端にラッチ板を設置し、また、Ｕ型溝の底端面及び底面壁の間に挿入管を挿入し、Ｕ型管が形成するＵ型溝と挿入管の凹溝とに挿入され堅く貼付する包装用緩衝材料構造。
【請求項３】
Ｕ型管と、ラッチ板と、挿入管と、から構成され、そのうち、
Ｕ型管は、Ｕ型溝及び底端面を設け、外部側壁の一側端面に凹溝を設け、他側端面に凹溝及び底面壁を設け、
挿入管は、両者の外形が同一であり、多辺型管を呈し、上方右側又は左側にラッチ溝を形成し、外向きに複数の凸体を形成し、Ｕ型溝の底端面が挿入管のラッチ溝により凸体及び外部側壁及び底面壁に係止され、
ラッチ板は、Ｕ型管が形成するＵ型溝の一端にラッチ板を設置し、他端にラッチ板を設置し、また、Ｕ型溝の底端面及び底面壁の間に挿入管を挿入し、Ｕ型管が形成するＵ型溝と挿入管とに挿入され堅く貼付する包装用緩衝材料構造。
【考案の詳細な説明】
【技術分野】
【０００１】
本考案は、包装用緩衝材料構造に関し、特に、異なる形態のＵ型管、ラッチ板及び異なる形態の挿入管を組み合わせてなる包装用緩衝材料構造体を利用し、製品、例えば、電気機器、機械部材、機械製品、ガラス及び陶器等の物品の保護に使用する包装用緩衝材料構造に関する。
【背景技術】
【０００２】
従来、電子製品、精密機械部材製品、ガラス及び陶器等の物品をダンボール箱に入れる時、既に多種の材質が緩衝材料としてあり、保護を受ける品が損壊しないようにしてなり、緩衝材料は、環境保護に適さない材料を含むので、環境保護に適した材料は、何れも紙製品を主とし、より保護できる緩衝材構造体とする為、中華民国公告第Ｍ３３８７５２号専利の内容中、Ｕ型管１０の両端に２つの栓２０を設置し、そのうち、栓２０は、両側端面の間に仕切り板２１を設け、包装物両端がつかむ力の強度が十分でなく、また、Ｕ型管１０の底部は、空体であり、受け包装用とする時の強度が依然として十分でなくという欠陥を有する。
【先行技術文献】
【特許文献】
【０００３】
【特許文献１】中華民国公告第Ｍ３３８７５２号公報
【考案の概要】
【考案が解決しようとする課題】
【０００４】
本考案の目的は、Ｕ型管と、２つのラッチ板と、挿入管とから構成される包装用緩衝材料構造体であり、そのうち、Ｕ型管の外部側壁及び内部側壁の間にＵ型溝を形成し、外部側壁に複数の凹溝を設け、底面に複数のＶ型溝を設け、強化の作用となすか、溝を設計しないものである包装用緩衝材料構造を提供することにある。
【課題を解決するための手段】
【０００５】
また、Ｕ型管のＵ型溝の両側端に設けるラッチ板は、全体が長方体を呈し、一端面に孔溝を形成し、他端に孔室を形成し、挿入管は、以下のように分けることができる：（１）Ｘ型挿入管。（２）逆Ｈ型挿入管。（３）多辺型挿入管。挿入管Ｘ型挿入管の両者は、外形が同一であり、何れもＵ型溝の底端面及び底面壁の間に設置され、構造を強化する。
本考案は下記の特徴を有する。
（１）Ｕ型管と、ラッチ板と、挿入管と、から構成され、そのうち、
Ｕ型管は、Ｕ型溝を設け、外部側壁の一側端面に凹溝を設け、他側端面に凹溝を設け、底面壁にＶ型溝を設け、強化の作用とし、
ラッチ板は、長方形体を呈し、一端面に孔溝を形成し、他端面に孔室２２を形成し、Ｕ型溝の両側端箇所に設置され、
挿入管は、Ｘ型管体を呈し、両者の外形が同一であり、そのうち、中央が周囲向きに空心体を形成するとともに、周囲に向けて４つの凸体を形成し、凸体と凸体の間に凹溝を形成し、嵌合作用とし、Ｕ型溝の底端面及び底面壁の間にＸ型挿入管を挿入し、Ｖ型溝と堅く貼付する包装用緩衝材料構造。
（２）Ｕ型管と、ラッチ板と、挿入管と、から構成され、そのうち、
Ｕ型管は、Ｕ型溝を設け、外部側壁の一側端面に凹溝を設け、他側端面に凹溝及び溝のない底面壁を設け、
挿入管は、逆Ｈ型管を呈し、そのうち、上方に凸ブロックを設け、２つの凸ブロックの間に凹溝を設け、下方に複数の凸体を設け、凸体及び凸対の間に弧溝を形成し、強化の作用とし、
ラッチ板は、Ｕ型管が形成するＵ型溝の一端にラッチ板を設置し、他端にラッチ板を設置し、また、Ｕ型溝の底端面及び底面壁の間に挿入管を挿入し、Ｕ型管が形成するＵ型溝と挿入管の凹溝とに挿入され堅く貼付する包装用緩衝材料構造。
（３）Ｕ型管と、ラッチ板と、挿入管と、から構成され、そのうち、
Ｕ型管は、Ｕ型溝及び底端面を設け、外部側壁の一側端面に凹溝を設け、他側端面に凹溝及び底面壁を設け、
挿入管は、両者の外形が同一であり、多辺型管を呈し、上方右側又は左側にラッチ溝を形成し、外向きに複数の凸体を形成し、Ｕ型溝の底端面が挿入管のラッチ溝により凸体及び外部側壁及び底面壁に係止され、
ラッチ板は、Ｕ型管が形成するＵ型溝の一端にラッチ板を設置し、他端にラッチ板を設置し、また、Ｕ型溝の底端面及び底面壁の間に挿入管を挿入し、Ｕ型管が形成するＵ型溝と挿入管とに挿入され堅く貼付する包装用緩衝材料構造。
【考案の効果】
【０００６】
本考案の製品は、上記部材の組み合わせにより、受け空間を形成し、被保護物を受け入れ、各種電子製品及び精密機器部材上に幅広く応用することができる。
【図面の簡単な説明】
【０００７】
【図１】本考案の包装用緩衝材料構造体の立体分解図の一である。
【図２】本考案の包装用緩衝材料構造体の立体分解図の一である。
【図３】本考案のＵ型管の平面図の一である。
【図４】本考案のＵ型管の正面断面図の一である。
【図５】本考案のＵ型管の立体図の一である。
【図６】本考案のＵ型管の側面断面図の一である。
【図７】本考案のＸ型挿入管の正面図である。
【図８】本考案のＸ型挿入管の断面図である。
【図９】本考案のＸ型挿入管の立体図である。
【図１０】本考案のラッチ板の立体図である。
【図１１】本考案のラッチ板の平面図である。
【図１２】本考案のラッチ板の側面図である。
【図１３】本考案のラッチ板の正面図である。
【図１４】本考案のＸ型挿入管の実施例図の一である。
【図１５】本考案のＸ型挿入管の実施例図の二である。
【図１６】本考案のＵ型管、Ｘ型挿入管及びラッチ板の組み合わせ側面断面図である。
【図１７】本考案のＵ型管、Ｘ型挿入管及びラッチ板の組み合わせ立体図である。
【図１８】本考案のＵ型管、Ｘ型挿入管及びラッチ板の組み合わせ実施例の立体図である。
【図１９（ａ）】本考案のＵ型管の立体図の二である。
【図１９（ｂ）】本考案のＵ型管側の面断面図の二である。
【図２０（ａ）】本考案の逆Ｈ挿入管の立体図である。
【図２０（ｂ）】本考案の逆Ｈ挿入管の断面図である。
【図２１】本考案のＵ型管、逆Ｈ型挿入管及びラッチ板の立体分解図である。
【図２２】本考案のＵ型管、逆Ｈ型挿入管及びラッチ板の組み合わせ実施例図の一である。
【図２３】本考案のＵ型管、逆Ｈ型挿入管及びラッチ板の組み合わせ断面図である。
【図２４】本考案のＵ型管、逆Ｈ型挿入管及びラッチ板の組み合わせ立体図である。
【図２５】本考案のＵ型管、逆Ｈ型挿入管及びラッチ板の実施例の立体図である。
【図２６（ａ）】本考案のＵ型管の立体図の三である。
【図２６（ｂ）】本考案のＵ型管の側面断面図の三である。
【図２７（ａ）】本考案の多辺型挿入管の立体図である。
【図２７（ｂ）】本考案の多辺型挿入管の断面図である。
【図２８】本考案のＵ型管、多辺型の挿入管及びラッチ板の立体分解図である。
【図２９】本考案のＵ型管、多辺型の挿入管及びラッチ板の組み合わせ実施例図の一である。
【図３０】本考案のＵ型管、多辺型の挿入管及びラッチ板の組み合わせ断面図である。
【図３１】本考案のＵ型管、多辺型の挿入管及びラッチ板の組み合わせ立体図である。
【図３２】本考案のＵ型管、多辺型の挿入管及びラッチ板の実施例の立体図である。
【考案を実施するための形態】
【０００８】
図１〜図１８を参照し、本考案の包装用緩衝材料構造体１’は、Ｕ型管１と、ラッチ板２，３と、挿入管４，５と、から構成され、図１，図２，図３，図４に示すように、図４は、Ｕ型管１がＵ型溝１３を設けることを示し、外部側壁１１’の一側面に凹溝１１を設け、他側面に凹溝１２を設け、底面壁１４’に２つのＶ型溝１４，１５を設け、強化の作用をなす（図４，図５，図６参照）。
【０００９】
また、挿入管４，５は、Ｘ型管体を呈し、且つ両者の外形が同一であり、そのうち、例えば、挿入管４は、Ｘ型管体を呈し、中央に周囲に向かって空心体４５を形成するとともに、周囲に４つの凸体４１，４２，４３，４４を形成し、凸体４１，４２，４３，４４と凸体４１，４２，４３，４４の間に凹溝４１’，４２’，４３，４４’を形成する（図７，図８，図９参照）。ラッチ板２，３は、Ｕ型管１のＵ型溝１３両側端に設置され、その構造は、長方形体を呈し、一端面に孔溝２１を形成し、他端面に孔室２２を形成する（図１０，図１１，図１２，図１３参照）。
【００１０】
図１，図２，図１４，図１５，図１６，図１７，図１８を参照し、そのうち、図１は、Ｕ型管１が形成するＵ型溝１３の一端にラッチ板２を設置し、他端にラッチ板３を設置することを示し、また、Ｕ型溝１３の底端面１３’及び底面壁１４’の間に挿入管４を挿入し、Ｖ型溝１４と堅く貼付し、挿入管５を挿入し、Ｖ型溝１５と堅く貼付するので、図１７に示すような包装用緩衝材料構造体１’を形成し、受け接合空間Ｄ１を形成し、図１８に示すように、被保護物０１の両側端面は、包装用緩衝材料構造体１’，１’１の受け接合空間Ｄ１，Ｄ２により受け接合する。
【００１１】
図１９〜図２５を参照し、そのうち、本考案の包装用緩衝材料構造体２’は、Ｕ型管１６と、ラッチ板１８，１９と、挿入管１７から構成され、図１９（ａ）及び図１９（ｂ）は、Ｕ型管１６がＵ型溝１６１を設け、外部側壁１６１’の一側端面に凹溝１６２を設け、他側端面に凹溝１６３及び底面壁１６５を設けることを示す。
【００１２】
また、挿入管１７は、逆Ｈ型管を呈し、そのうち、上方に凸ブロック１７１，１７２を設け、２つの間に凹溝１７７を設け、下方に凸体１７３，１７４，１７５を設け、凸体１７３及び凸体１７４の間に弧溝１７６を形成し、凸体１７４及び凸体１７５の間に弧溝１７６’を形成する（図２０（ａ），図２０（ｂ）参照）。ラッチ板１８，１９は、Ｕ型管１６のＵ形溝１６１両側端箇所に設置され、その構造は、長方形体を呈し、一端面に孔溝１８１を形成し、他端面に孔室１９１を形成する（図２１参照）。
【００１３】
図２１，図２２，図２３，図２４，図２５を参照し、そのうち、図２１，図２２は、Ｕ型管１６が形成するＵ型溝１６１の一端にラッチ板１８を設け、他端にラッチ板１９を設け、また、Ｕ型溝１６１の底端面１６４及び底面壁１６５の間に挿入管１７を挿入し、Ｕ型管１６が形成するＵ型溝１６１及び挿入管１７の凹溝１７７に挿入され、堅く貼付するので、図２４に示すような包装用緩衝材料構造体２’を形成し、受け接合空間Ｄ２を形成し、また、図２５に示すような被保護物０２の両側端面は包装用緩衝材料構造体２’，２’１の受け接合空間Ｄ３，Ｄ４により受け接合する。
【００１４】
図２６〜図３２を参照し、そのうち、本考案の包装用緩衝材料構造体３’は、Ｕ型管２０と、ラッチ板２３，２４と、挿入管２１，２２とから構成され、図２６（ａ），図２６（ｂ）及び図２７（ａ），図２７（ｂ）を参照し、図２６（ａ），図２６（ｂ）は、Ｕ型管２０がＵ型溝２０１及び底端面２０４を設け、外部側壁２０１’の一側端面に凹溝２０２を形成し、他端面に凹溝２０３及び底面壁２０５を設けることを示す。
【００１５】
また、図２７（ａ）及び図２７（ｂ）に示すように、そのうち、挿入管２１，２２は、両者の外形が同一であり、多辺型管を呈し、上方右側又は左側にラッチ溝２１１，２２１を形成し、外向きに複数の凸体２１２，２２２を形成し、図３０に示すように、そのうち、Ｕ型溝２０１の底端面２０５は、挿入管２１，２２のラッチ溝２１１，２２１により係止され、凸体２１２，２２２は、外部側壁２０１’及び底面壁２０５を係止し、強化作用を成す。ラッチ板２３，２４は、Ｕ型管２０のＵ型溝２０１の両端箇所に設置され、長方形体を呈し、一端面に孔溝２３１を形成し、他端面に孔室２４１を形成する（図２８参照）。
【００１６】
図２８，図２９，図３０，図３１，図３２を参照し、そのうち、図２８及び図２９に示すように、Ｕ型管２０が形成するＵ型溝２０１の一端にラッチ板２３が設置され、他端にラッチ板２４を設置され、また、Ｕ型溝２０１の底端面２０４及び底面壁２０５の間に挿入管２１，２２を挿入し、Ｕ型管２０が形成するＵ型溝２０５及び挿入管２１，２２に挿入し、堅く貼付するので、図３２に示すような包装用緩衝材料構造体３’を形成し、受け接合空間Ｄ３を形成し、また、図３２に示すように、被保護物０３の両側端面は、包装用緩衝材料構造体３’，３’１の受け接合空間Ｄ５，Ｄ６により受け接合する。
【符号の説明】
【００１７】
＜従来技術の部材符号＞
１０  Ｕ型管
２０  栓
２１  仕切り板
＜本考案の部材符号＞
１’，１’１，２’，２’１，３’，３’１  包装用緩衝材料構造
1， １６，２０  Ｕ型管
１３  Ｕ型溝
１１’，１６１’，２０１’  外部側壁
１１１２，１６２，１６３，２０２，２０３  凹溝
１３，１６１，２０１  Ｕ型溝
１４，１５  Ｖ型溝
１４’，１６５，２０５  底面壁
１７１，１７２  凸ブロック
１７３，１７４，１７５，２１２，２２２  凸体
１７６，１７６’  弧溝
２１１，２２１  ラッチ溝
２，３，１８，１９，２３，２４  ラッチ板
１３’，１６１，２０４  底端面
２１，１８１，２３１  孔溝
２２，１９１，２４１  孔室
４，１７，２１，２２  挿入管
４１，４２，４３，４４  凸体
４１’，４２’，４３’，４４’  凹溝
Ｄ１，Ｄ２，Ｄ３，Ｄ４，Ｄ５，Ｄ６  受け接合空間
Ｏ１，Ｏ２，Ｏ３  被保護物
【図１】
0003160164.tif 000003
【図２】
0003160164.tif 000004
【図３】
0003160164.tif 000005
【図４】
0003160164.tif 000006
【図５】
0003160164.tif 000007
【図６】
0003160164.tif 000008
【図７】
0003160164.tif 000009
【図８】
0003160164.tif 000010
【図９】
0003160164.tif 000011
【図１０】
0003160164.tif 000012
【図１１】
0003160164.tif 000013
【図１２】
0003160164.tif 000014
【図１３】
0003160164.tif 000015
【図１４】
0003160164.tif 000016
【図１５】
0003160164.tif 000017
【図１６】
0003160164.tif 000018
【図１７】
0003160164.tif 000019
【図１８】
0003160164.tif 000020
【図１９（ａ）】
0003160164.tif 000021
【図１９（ｂ）】
0003160164.tif 000022
【図２０（ａ）】
0003160164.tif 000023
【図２０（ｂ）】
0003160164.tif 000024
【図２１】
0003160164.tif 000025
【図２２】
0003160164.tif 000026
【図２３】
0003160164.tif 000027
【図２４】
0003160164.tif 000028
【図２５】
0003160164.tif 000029
【図２６（ａ）】
0003160164.tif 000030
【図２６（ｂ）】
0003160164.tif 000031
【図２７（ａ）】
0003160164.tif 000032
【図２７（ｂ）】
0003160164.tif 000033
【図２８】
0003160164.tif 000034
【図２９】
0003160164.tif 000035
【図３０】
0003160164.tif 000036
【図３１】
0003160164.tif 000037
【図３２】
0003160164.tif 000038
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
Ｕ型管と、ラッチ板と、２つの挿入管と、から構成され、そのうち、
Ｕ型管は、Ｕ型溝を設け、外部側壁の一側端面に凹溝を設け、他側端面に凹溝を設け、底面壁にＶ型溝を設け、強化の作用とし、
ラッチ板は、長方形体を呈し、一端面に孔溝を形成し、他端面に孔室２２を形成し、Ｕ型溝の両側端箇所に設置され、
挿入管は、Ｘ型管体を呈し、２つの挿入管の外形が同一であり、 該挿入管の外形は中央に空心体を形成するとともに、周囲に向けて４つの凸体を形成し、凸体と凸体の間に凹溝を形成し、
前記Ｕ型溝の底端面及び底面壁の間に前記挿入管を挿入し、Ｖ型溝と堅く貼付する包装用緩衝材料構造。
【請求項２】
Ｕ型管と、ラッチ板と、挿入管と、から構成され、そのうち、
Ｕ型管は、Ｕ型溝を設け、外部側壁の一側端面に凹溝を設け、他側端面に凹溝及び溝のない底面壁を設け、
挿入管は、逆Ｈ型管を呈し、そのうち、上方に２つの凸ブロックを設け、該２つの凸ブロックの間に凹溝を設け、下方に複数の凸体を設け、凸体と凸体の間に弧溝を形成し、強化の作用とし、
ラッチ板は、Ｕ型管が形成するＵ型溝の一端にラッチ板を設置し、他端にラッチ板を設置し、
また、Ｕ型溝の底端面及び底面壁の間に前記挿入管を挿入し、Ｕ型管が形成するＵ型溝と前記挿入管の凹溝とが堅く貼付する包装用緩衝材料構造。
【請求項３】
Ｕ型管と、ラッチ板と、２つの挿入管と、から構成され、そのうち、
Ｕ型管は、Ｕ型溝及び底端面を設け、外部側壁の一側端面に凹溝を設け、他側端面に凹溝及び底面壁を設け、
挿入管は、２つの挿入管の外形が同一であり、多辺型管を呈し、上方右側又は左側にラッチ溝を形成し、外向きに複数の凸体を形成し、Ｕ型溝の底端面が挿入管のラッチ溝により凸体及び外部側壁及び底面壁に係止され、
ラッチ板は、Ｕ型管が形成するＵ型溝の一端にラッチ板を設置し、他端にラッチ板を設置し、
また、Ｕ型溝の底端面及び底面壁の間に前記挿入管を挿入し、Ｕ型管が形成するＵ型溝と前記挿入管とが堅く貼付する包装用緩衝材料構造。